(57)【要約】【課題】狭隘なハンドホール内でコンパクトに効率よく路上機器と既設のケーブルとを接続することができるようにする電力ケーブル延長用アダプタを提供する。【解決手段】ハンドホール５０の上に設置された路上機器２０の接続部２１と、ハンドホール内に存在している既設ケーブル３０の接続部３１とをお互いに接続するための電力ケーブル延長用アダプタ１０において、可撓性を備えたケーブル部１１と、該ケーブル部１１の一端部に設けられ、路上機器の接続部とワンタッチ接続自在な機器側接続コネクタ１２と、前記ケーブル部の他端部に設けられ、既設ケーブルの接続部とワンタッチ接続自在なケーブル側接続コネクタ１３と、を有する。【選択図】図１
2009296773.tif 000002
【特許請求の範囲】
【請求項１】
ハンドホールの上に設置された路上機器の接続部と、前記ハンドホール内に存在している既設ケーブルの接続部とをお互いに接続するための電力ケーブル延長用アダプタにおいて、
可撓性を備えたケーブル部と、
前記ケーブル部の一端部に設けられ、前記路上機器の接続部とワンタッチ接続自在な機器側接続コネクタと、
前記ケーブル部の他端部に設けられ、前記既設ケーブルの接続部とワンタッチ接続自在なケーブル側接続コネクタと、
を有することを特徴とする電力ケーブル延長用アダプタ。
【請求項２】
可撓性を備えたケーブル部と、
前記ケーブル部の一端部に設けられ、機器の接続部とワンタッチ接続自在な機器側接続コネクタと、
前記ケーブル部の他端部に設けられ、既設のケーブルの接続部とワンタッチ接続自在なケーブル側接続コネクタと、
を有し、全長が０．８ｍ〜１．５ｍになっていることを特徴とする電力ケーブル延長用アダプタ。
【請求項３】
ハンドホールの上に設置されている旧式の路上機器を新式の路上機器に交換する路上機器交換方法において、
前記旧式路上機器から延出している既設ケーブルのケーブル部の、前記ハンドホール内に存在している部位を切断する切断工程と、
前記旧式路上機器を撤去する撤去工程と、
前記既設ケーブルの切断箇所に接続部を設ける接続部設置工程と、
前記新式路上機器を前記ハンドホール上に設置する路上機器設置工程と、
前記新式路上機器の接続部と前記既設ケーブルの接続部とを、請求項１または請求項２に記載の電力ケーブル延長用アダプタを用いて接続する接続工程と、
を有することを特徴とする路上機器交換方法。
【請求項４】
ハンドホールの上に設置された路上機器と、
前記ハンドホール内に接続部が存在し、この接続部から電力の供給先もしくは供給元まで延びているケーブルと、
前記ハンドホール内に設けられ、前記路上機器の接続部と前記ケーブルの接続部とを接続する、請求項１または請求項２に記載の電力ケーブル延長用アダプタと、
を有することを特徴とする電力システム。
【発明の詳細な説明】
【技術分野】
【０００１】
本発明は、地中に埋設された電力ケーブルをハンドホールの上に設置された路上機器に接続する際に使用される電力ケーブル延長用アダプタ、その電力ケーブル延長用アダプタを使用して行う路上機器交換方法、および、前記電力ケーブル延長用アダプタを使用した電力システムに関する。
【背景技術】
【０００２】
地中に電力ケーブルを敷設する場合、補修のためなどの目的で、適当な箇所にハンドホールと呼ばれるコンクリート製の升を設けることが行われている。ハンドホールとは、マンホールよりも小型のもので、作業者が中に入って作業するためのものである。また、そのハンドホール上に、例えば電力ケーブルで送電する６６００Ｖの電力を分岐したり、６６００Ｖの供給を受けて２００Ｖや１００Ｖの電力を出力したりするための路上機器を設置することが行われている。
【０００３】
ところで、近年、耐用年数等の問題から、旧式の路上機器から新式の路上機器への取り替えの要請が出てきた。新式の路上機器に交換する場合、旧式の路上機器とコネクタの仕様が異なることから、そのまま、地中に埋設された既設ケーブルの端末の接続部を新式の路上機器の接続部に接続することができないことが多い。そのような場合、例えば、ハンドホール内で旧機器用の既設ケーブルの端末を切断し、その切断箇所に新たな接続コネクタを取り付けた上で、新式の路上機器の接続部に接続することになるが、ケーブルの切断によりケーブル長が不足し、ケーブルが路上機器まで届かない場合が起こり得る。
【０００４】
そのような場合の対策として、差込式直線接続部〔社団法人「日本電力ケーブル接続技術協会（ＪＣＡＡ）」の規格ＪＣＡＡ  Ｃ  ５２０２で規定されたもの〕を路上機器直下のハンドホール内において組み立てて接続することが一番に想定されるが、機器直下のハンドホールは、一般的に高さが低く狭隘であることから、既存の差込式直線接続部を組み立てるのは、非常に困難であり、組立作業時間についても長時間を要するおそれがある。
【０００５】
また、非特許文献１で開示されるリペアエルボを使用して接続することも考えられるが、路上機器直下の狭隘なハンドホール内においてリペアエルボを使用することは非常に困難であり、しかも、リペアエルボを使用する場合は、機器内での占有面積が大きくなり、小型化されてきた最新の路上機器には収容することができなくなるおそれがある。
【０００６】
また、類似の手段として、特許文献１に記載される連結型ケーブルが知られているが、この種の連結ケーブルは一般的に長尺であり、狭隘なハンドホール内では取り回しが困難となるおそれがある。
【特許文献１】特開平６−１７６６２５号公報
【非特許文献１】ｈｔｔｐ：//ｗｗｗ―ｐｕｂｌｉｃ．ｔｎｂ．ｃｏｍ/ｕｔｉｌ/ｄｏｃｓ/ＣＡ_Ｓ_ｆｕｌｌ．ｐｄｆ
【発明の開示】
【発明が解決しようとする課題】
【０００７】
上述のように、既存の技術では、路上機器を新式のものに交換する場合、地中に埋設された既設ケーブルの端末をハンドホール内でコンパクトに効率よく路上機器に接続することができないおそれがあった。
【０００８】
本発明は、上記問題点に鑑みてなされたものであり、狭隘なハンドホール内でコンパクトに効率よく路上機器と既設のケーブルとを接続することができるようにする電力ケーブル延長用アダプタ、その電力ケーブル延長用アダプタを使用して行う路上機器交換方法、および、前記電力ケーブル延長用アダプタを使用した電力システムを提供することを目的とする。
【課題を解決するための手段】
【０００９】
請求項１の発明の電力ケーブル延長用アダプタは、ハンドホールの上に設置された路上機器の接続部と、前記ハンドホール内に存在している既設ケーブルの接続部とをお互いに接続するための電力ケーブル延長用アダプタにおいて、可撓性を備えたケーブル部と、前記ケーブル部の一端部に設けられ、前記路上機器の接続部とワンタッチ接続自在な機器側接続コネクタと、前記ケーブル部の他端部に設けられ、前記既設ケーブルの接続部とワンタッチ接続自在なケーブル側接続コネクタと、を有することを特徴としている。
【００１０】
請求項２の発明の電力ケーブル延長用アダプタは、可撓性を備えたケーブル部と、前記ケーブル部の一端部に設けられ、機器の接続部とワンタッチ接続自在な機器側接続コネクタと、前記ケーブル部の他端部に設けられ、既設のケーブルの接続部とワンタッチ接続自在なケーブル側接続コネクタと、を有し、全長が０．８ｍ〜１．５ｍになっていることを特徴としている。
【００１１】
請求項３の発明の路上機器交換方法は、ハンドホールの上に設置されている旧式の路上機器を新式の路上機器に交換する路上機器交換方法において、前記旧式路上機器から延出している既設ケーブルのケーブル部の、前記ハンドホール内に存在している部位を切断する切断工程と、前記旧式路上機器を撤去する撤去工程と、
前記既設ケーブルの切断箇所に接続部を設ける接続部設置工程と、前記新式路上機器を前記ハンドホール上に設置する路上機器設置工程と、前記新式路上機器の接続部と前記既設ケーブルの接続部とを、請求項１または請求項２に記載の電力ケーブル延長用アダプタを用いて接続する接続工程と、を有することを特徴としている。
【００１２】
請求項４の発明の電力システムは、ハンドホールの上に設置された路上機器と、前記ハンドホール内に接続部が存在し、この接続部から電力の供給先もしくは供給元まで延びているケーブルと、前記ハンドホール内に設けられ、前記路上機器の接続部と前記ケーブルの接続部とを接続する、請求項１または請求項２に記載の電力ケーブル延長用アダプタと、を有することを特徴としている。
【発明の効果】
【００１３】
請求項１の発明の電力ケーブル延長用アダプタを使用することにより、路上機器の取り替え作業が容易にできるようになる。即ち、ハンドホールの上に設置された路上機器を旧式のものから新式のものへと交換するに当たり、新式の路上機器の接続部とハンドホール内に存在している既設ケーブルの接続部との仕様が合わない場合には、そのまま既設ケーブルの端末を路上機器に接続することはできないが、本発明の電力ケーブル延長用アダプタは、可撓性を備えたケーブル部の一端部に、路上機器の接続部とワンタッチ接続自在な機器側接続コネクタを有すると共に、ケーブル部の他端部に、既設ケーブルの接続部とワンタッチ接続自在なケーブル側接続コネクタを有するので、この電力ケーブル延長用アダプタを、新式の路上機器の接続部と既設ケーブルの接続部との間に介在させて使用することにより、既設ケーブルの端末を新式の路上機器に容易に接続することができ、路上機器の取り替え作業が容易にできるようになる。その際、機器側接続コネクタとケーブル側接続コネクタの間のケーブル部が可撓性を有しているので、高さの低い狭隘なハンドホールの中でも、無理なく接続作業を行うことができる。また、既設ケーブルの端末の接続部が新式の路上機器の接続部に合わないことから既設ケーブルの端末を切断した場合には、既設ケーブルの端末と新式の路上機器の接続部との間でケーブル長が不足するが、その不足分を本発明の電力ケーブル延長用アダプタで補うことができる。そのため、既設ケーブルの端末を切断する方法も採用可能であり、容易に路上機器の交換作業を行うことができる。
【００１４】
請求項２の発明の電力ケーブル延長用アダプタを、ハンドホールの上に設置された路上機器の取り替え時に使用することにより、路上機器の取り替え作業が容易にできるようになる。即ち、ハンドホールの上に設置された路上機器を旧式のものから新式のものへと交換するに当たり、新式の路上機器の接続部とハンドホール内に存在している既設ケーブルの接続部との仕様が合わない場合には、そのまま既設ケーブルの端末を路上機器に接続することはできないが、本発明の電力ケーブル延長用アダプタは、可撓性を備えたケーブル部の一端部に、路上機器の接続部とワンタッチ接続自在な機器側接続コネクタを有すると共に、ケーブル部の他端部に、既設ケーブルの接続部とワンタッチ接続自在なケーブル側接続コネクタを有し、全長が０．８ｍ〜１．５ｍになっているので、この電力ケーブル延長用アダプタを、新式の路上機器の接続部と既設ケーブルの接続部との間に介在させて使用することにより、既設ケーブルの端末を新式の路上機器に容易に接続することができ、路上機器の取り替え作業が容易にできるようになる。その際、機器側接続コネクタとケーブル側接続コネクタの間のケーブル部が可撓性を有している上、全長が０．８ｍ〜１．５ｍという短い寸法に制限されているので、高さの低い狭隘なハンドホールの中でも、取り回しを自由に行うことができ、無理なく接続作業を行うことができる。また、既設ケーブルの端末の接続部が新式の路上機器の接続部に合わないことから既設ケーブルの端末を切断した場合には、既設ケーブルの端末と新式の路上機器の接続部との間でケーブル長が不足するが、その不足分を本発明の電力ケーブル延長用アダプタで補うことができる。そのため、既設ケーブルの端末を切断する方法の採用も可能であり、容易に路上機器の交換作業を行うことができる。
【００１５】
請求項３の発明の路上機器交換方法によれば、既設ケーブルの端末を切断し、切断箇所に新たな接続部を設けてから、その接続部と新たに交換した路上機器の接続部との間を、電力ケーブル延長用アダプタで接続するので、新式の路上機器の接続部とハンドホール内に存在している既設ケーブルの接続部との仕様が合わない場合でも、既設ケーブルの端末を新式の路上機器に容易に接続することができ、路上機器の取り替え作業が容易にできる。
【００１６】
請求項４の発明の電力システムによれば、ハンドホールの上に設置された路上機器の接続部とケーブルの接続部とを電力ケーブル延長用アダプタで接続しているので、新式の路上機器の接続部とハンドホール内に存在している既設ケーブルの接続部との仕様が合わない場合でも、既設ケーブルの端末を新式の路上機器に容易に接続することができ、路上機器の取り替え作業が容易にできる。
【発明を実施するための最良の形態】
【００１７】
以下、本発明の実施形態を図面を参照しながら説明する。
【００１８】
図１は、実施形態の電力ケーブル延長用アダプタを使用して路上機器と既設ケーブルとを接続した電力システムの断面図、図２は実施形態の電力ケーブル延長用アダプタと既設ケーブルの接続部を接続しようとしている状態を示す断面図、図３はその接続部分の断面図、図４は路上機器を交換する際の工程説明用の断面図である。
【００１９】
図１〜図３に示すように、本実施形態の電力ケーブル延長用アダプタ１０は、地上に開口したハンドホール５０の蓋５１の上に設置された路上機器２０の接続部２１と、ハンドホール５０内に存在している既設ケーブル３０の接続部３１とをお互いに接続するためのものであり、可撓性を備えたケーブル部１１と、そのケーブル部１１の一端部に設けられ、路上機器２０の接続部２１とワンタッチ接続自在な機器側接続コネクタ１２と、ケーブル部１１の他端部に設けられ、既設ケーブル３０の接続部３１とワンタッチ接続自在なケーブル側接続コネクタ１３と、を有している。
【００２０】
この電力ケーブル延長用アダプタ１０は、ケーブル部１１の長さをハンドホール５０の高さに応じて設定することにより、全長が０．８ｍ〜１．５ｍのものとして構成されている。
【００２１】
ここで、路上機器２０の例としては、例えば、６６００Ｖの電力を分岐したり、６６００Ｖの電力の供給を受けて、２００Ｖや１００Ｖの電力を出力したりする配電系統に使用される機器を挙げることができる。路上機器２０の接続部２１としては、筐体２５内の機器本体２６に接続コネクタが設けられている。また、既設ケーブル３０の接続部としては、接続コネクタが設けられている。そして、電力ケーブル延長用アダプタ１０の機器側接続コネクタ１２が路上機器２０の接続コネクタ（接続部２１）と雄雌嵌合する部分として構成され、ケーブル側接続コネクタ１３が既設ケーブル３０の端末に設けられた接続コネクタ（接続部３１）と雄雌嵌合する部分として構成されている。これら機器側接続コネクタ１２およびケーブル側接続コネクタ１３は、ケーブル部１１の外径よりも大きい。
【００２２】
電力ケーブル延長用アダプタ１０の両端の接続コネクタ１２、１３および既設ケーブル３０の端末の接続コネクタ（接続部３１）は、導体接続部の外側に、内部半導電層、絶縁層、外部半導電層の３層構造からなるゴムモールド層を設けた一般的な構成のものである。
【００２３】
次に、図４を用いて、ハンドホール５０の上に設置されている旧式の路上機器を新式の路上機器に交換する路上機器交換方法について説明する。
【００２４】
旧式の路上機器２０Ａを新式の路上機器２０に交換する場合は、まず、図４（ａ）に示すように、旧式の路上機器２０Ａから延出している既設ケーブル３０のケーブル部３０ａの、ハンドホール５０内に存在している部位Ｋ（接続コネクタ３５に接続された部分の根元付近）を切断する（切断工程）。次に、図４（ｂ）に示すように、旧式の路上機器２０Ａを撤去する（撤去工程）。そして、既設ケーブル３０の切断箇所に新たな接続部（接続コネクタ）３１を設ける（接続部設置工程）。次に、図４（ｃ）に示すように、新式の路上機器２０をハンドホール５０上に設置し（路上機器設置工程）、新式の路上機器２０の接続部２１と既設ケーブル３０の接続部３１とを、電力ケーブル延長用アダプタ１０を用いて接続する（接続工程）。
【００２５】
以上により、路上機器２０の取り替えを終了することができ、ハンドホール５０の上に設置された路上機器２０と、ハンドホール５０内に接続部３１が存在し、この接続部３１から電力の供給先もしくは供給元まで延びている既設ケーブル３０と、ハンドホール５０内に設けられ、路上機器２０の接続部２１と既設ケーブル３０の接続部３１とを接続する電力ケーブル延長用アダプタ１０とから構成される電力システムが完成する。
【００２６】
以上のように、本実施形態の電力ケーブル延長用アダプタ１０を使用することにより、路上機器２０の取り替え作業が容易にできるようになる。即ち、ハンドホール５０の上に設置された路上機器２０を旧式のものから新式のものへと交換するに当たり、新式の路上機器２０の接続部２１とハンドホール５０内に存在している既設ケーブル３０の接続部３１との仕様が合わない場合には、そのまま既設ケーブル３０の端末を路上機器２０に接続することはできないが、本実施形態の電力ケーブル延長用アダプタ１０は、可撓性を備えたケーブル部１１の一端部に、路上機器２０の接続部２１とワンタッチ接続自在な機器側接続コネクタ１２を有すると共に、ケーブル部１１の他端部に、既設ケーブル３０の接続部３１とワンタッチ接続自在なケーブル側接続コネクタ１３を有するので、この電力ケーブル延長用アダプタ１０を、新式の路上機器２０の接続部２１と既設ケーブル３０の接続部３１との間に介在させて使用することにより、既設ケーブル３０の端末を新式の路上機器２０に容易に接続することができ、路上機器２０の取り替え作業が容易にできるようになる。
【００２７】
その際、機器側接続コネクタ１２とケーブル側接続コネクタ１３の間のケーブル部１１が可撓性を有しているので、高さの低い狭隘なハンドホール５０の中でも、無理なく接続作業を行うことができる。また、既設ケーブル３０の端末の接続部が新式の路上機器２０の接続部に合わないことから既設ケーブル３０の端末を切断した場合には、既設ケーブル３０の端末と新式の路上機器２０の接続部２１との間でケーブル長が不足することになるが、その不足分を本実施形態の電力ケーブル延長用アダプタ１０で補うことができるので、既設ケーブル３０の端末を切断する工法を支障なく採用することができる。
【００２８】
特に、電力ケーブル延長用アダプタ１０の全長を０．８ｍ〜１．５ｍの範囲に抑えているので、高さの低い狭隘なハンドホール５０の中でも、取り回しを自由に行うことができ、無理なくコンパクトに接続を行うことができる。
【００２９】
また、ハンドホール５０内にスペース的な余裕がある場合には、既設ケーブル３０の端末を切断せずに、路上機器２０と既設ケーブル３０を接続することもできる。その場合は、電力ケーブル延長用アダプタ１０のケーブル側接続コネクタ１３として、既設ケーブル３０の端末の既存の接続部３５に接続できるコネクタを設けておく。
【００３０】
そして、まず、旧式の路上機器２０Ａの接続部に接続している既設ケーブル３０の機器側接続コネクタ（接続部３５）を、旧式の路上機器２０Ａから取り外し（取り外し工程）、続いて旧式の路上機器２０Ａを撤去する（撤去工程）。次に、新式の路上機器２０をハンドホール５０上に設置し（路上機器設置工程）、新式の路上機器２０の接続部２１と既設ケーブル３０の接続部３５とを、電力ケーブル延長用アダプタ１０を用いて接続する（接続工程）。それにより、路上機器２０と、既設ケーブル３０と、電力ケーブル延長用アダプタ１０とから構成される電力システムが完成する。
【００３１】
このように、既設ケーブルの端末を切断しない場合は、コンパクト性に欠けるものの、切断して新たな接続部を設ける手間が省けるので、作業効率が向上する。
【図面の簡単な説明】
【００３２】
【図１】本発明の実施形態の電力ケーブル延長用アダプタを使用して路上機器と既設ケーブルとを接続した電力システムの断面図である。
【図２】本実施形態の電力ケーブル延長用アダプタと既設ケーブルの接続部を接続しようとしている状態を示す断面図である。
【図３】本実施形態の電力ケーブル延長用アダプタと既設ケーブルの接続部を接続した部分の断面図である。
【図４】本発明の路上機器交換方法の工程説明用の断面図である。
【符号の説明】
【００３３】
１０  電力ケーブル延長用アダプタ
１１  ケーブル部
１２  機器側接続コネクタ
１３  ケーブル側接続コネクタ
２０  新式の路上機器
２０Ａ  旧式の路上機器
２１  接続部
３０  既設ケーブル
３１  接続部
５０  ハンドホール
【図１】
2009296773.tif 000003
【図２】
2009296773.tif 000004
【図３】
2009296773.tif 000005
【図４】
2009296773.tif 000006